(57)【要約】      （修正有）【課題】産業廃棄物が主体と成す土壌に、天然砂と天然土を少量加えるだけの土壌を作成して、産業廃棄物の飛散を防ぐために、トレーの中にて天然芝生の育成を計った天然芝生マットを提供する。【解決手段】トレー２１内の土壌は、産業廃棄物を主体・発泡スチロール・コンクリート・新聞紙等の紙屑・コルク等の木材屑・米籾殻・で各々の土壌におけるその比率は７５％とする。トレーの下側土壌３１Ｂ〜３５Ｂは、大粒の産業廃棄物が主体であり、上側土壌３１Ａ〜３５Ａは砂状の産業廃棄物が主体とする。トレーの最上部に天然芝生マット１１Ａを貼り付けてトレー組込み形天然芝生マットを構成する。トレーは、トレー接続部品にて連続して隙間なしの状態を保持して、接続できるようにしても良い。【選択図】図１
0003155180.tif 000002
【実用新案登録請求の範囲】
【請求項１】
天然芝生マットを定められた大きさのトレーに入れて保管育成する、そのトレーはトレー接続部品にて連続して隙間無しの状態を保持して、連続して接続出来ることを特徴とした、トレー組込み形天然芝生マット。
【請求項２】
天然芝生マットを入れるトレーは、後日移動の可能性が有る物は、プラスチック系統のトレーとし、移動の可能性の無い物は、年月を重ねることにより、土に戻る、紙屑系統・木材屑系統のトレーとすることを特徴とした、請求項１に記載の、トレー組込み形天然芝生マット。
【請求項３】
天然芝生マットを入れるトレーの土壌は産業廃棄物を主体・発泡スチロール・コンクリート・新聞紙等の紙屑・コルク等の木材屑・米籾柄・で各々の土壌におけるその比率は７５％を占めている、産業廃棄物の有効利用を特徴とした、請求項１、請求項２に記載の、トレー組込み形天然芝生マット。
【請求項４】
天然芝生マットを入れるトレーの土壌の産業廃棄物は、下側土壌には、大粒の産業廃棄物が主体で有り、上側は砂状の産業廃棄物が主体と成していることを特徴とした、請求項１、請求項２、請求項３に記載の、トレー組込み形天然芝生マット。
【考案の詳細な説明】
【技術分野】
【０００１】  本考案は、産業廃棄物をただ破砕して、少しの天然砂と天然土を加えることにより、産業廃棄物土壌を作成して天然芝生を育成する、産業廃棄物の利用分野に属する。
【背景技術】
【０００２】  現状では、コンクリートが主体で少しプラスチックが混ざった物が容量割合にて約７割、天然石と天然砂（主に海砂）が約３割、そこにセメントと水を投入して、形枠に流し込み、道路の側溝のＵ時溝やその蓋、に使用して居る場合と、一般道路用の舗装材としても使用されている。【０００３】  しかしながら、何処のメーカー様もどんな産業廃棄物でも、絶対に安全との文句を並べておりますが、もしも有害物質が紛れ込んでいた場合の、安全保証が全く成されていないのが実状で有ります。【０００４】  メーカー様の発表カタログにて、天然芝生の育成可能と記されている物も有りましたが、私共で実験した範囲のメーカー様の土壌では、全て私共の徒労終了しました。
【先行技術文献】
【０００５】  前述にて述べた背景技術で記した物が、先行技術で有ります。
【考案が解決しようとする課題】
【０００６】  産業廃棄物と天然砂、天然土、との組合わせによっては、天然芝生の育成が可能となるハズで有ります、産業廃棄物をいかに多くし、その配合限度を探し出すことです。
【０００７】  天然芝生の市販品の葉は、通常はほぼ枯れた状態で有る、それをこの過酷な産業廃棄物の土壌にて、いかに巧く育成出来るか？が１番の課題です、配合方法です。
【課題を解決するための手段】
【０００８】  産業廃棄物である、発泡スチロール、コンクリート、紙屑、木材屑、米の籾柄、と天然砂、天然土、そしてそれらを一体化するための凝結剤を、実験にて天然芝生が育成可能か？どうか？を実験し確認致しました。
【０００９】  天然芝生の市販品マットは一般的な・高麗芝生・ケンタッキーブルーグラス・バミューダグラス・の３品種にて実験を行いました。
【図面の簡単な説明】
【００１０】
【図１】  トレー組込み形天然芝生マット、の組立図面
【００１１】〔産業廃棄物配合  土壌の配合表〕
〔配合表１〕  発泡スチロール産業廃棄物土壌
〔配合表２〕  コンクリート産業廃棄物土壌
〔配合表１〕  新聞紙等の紙屑産業産業廃棄物土壌
〔配合表１〕  コルク等の木材屑産業産業廃棄物土壌
〔配合表１〕  米籾柄産業廃棄物土壌
【考案を実施するための形態】
【００１２】  品番２１・２２・２３・２４・トレー、と品番２５・２６・２７・２８・トレー接続部品から説明致します。
【００１３】  ビル屋上緑化のために使用の場合等は、移動の可能性が有る物。運動場等は、移動の可能性が無しの物、とでトレーの材質から変更致しました。
移動の可能性が有る物・品番２１、２５プラスチック再生材・品番２２、２６発泡スチロール再生材を使用。
移動の可能性が無しの物・品番２３、２７紙屑再生材・品番２４、２８木材屑再生材を使用。
【００１４】  品番２１・２２・２３・２４・トレー、と品番２５・２６・２７・２８・トレー接続部品は雄雌形と成っており、ピッタリと接続出来る様に致しました。
【００１５】  トレーの底には約３０ｍｍピッチに品番２９水抜き孔、を設けた。また側面にも約３０ｍｍピッチにて通気孔、共に約Φ５ｍｍ孔を設けて、天然芝生の成長促進を計った。
【００１６】  ここからは、産業廃棄物土壌について記します。
【００１７】  天然芝生の育成実験より、芝生の根は約２５０ｍｍは下側迄伸びることが解りました、よって、産業廃棄物土壌のトレー深さを３００ｍｍと致しました。
【００１８】  天然芝生は砂地土壌を好みます、よって上側５ｍｍを砂地系統の土壌と致しました。
【００１９】  産業廃棄物による土壌作成について、産業廃棄物の配合は、配合表１〜５を参照願います。
【００２０】  土壌造りは、まず始めに、下側約２５０ｍｍの部分を配合表容量にて容量約５％の水で良く混ぜて、トレーに投入し平面状に馴らして、乾燥する。
乾燥後に、上側約５ｍｍの部分を配合表容量にて容量約５％の水で良く混ぜてトレーに投入し平面状に馴らして、乾燥する。
【００２１】  天然芝生は一般には、約□−１尺≒□−３０３ｍｍにて市販されております、その天然芝生をトレーの最上部に入れます。
【実施例】
【００２２】  天然芝生の育成実験経過を主体に記します、購入当初の芝生は枯れ草同様でした。【００２３】  下側土壌・上側土壌、は良く乾燥した後に、天然芝生をトレー最上部に入れます、少し足で押え込む位の感じで入れた方が、根付が良かった。【００２４】  天然芝生を張った後に少量の芝生液体肥料と水を十分に与えた。【００２５】  約２週間目位には、新しい緑色の新芽が見えてきた、そして６週間後位には、全体が緑色の天然芝生で覆われた。
日本の気候に１番合っている、高麗芝生が１番早い成長をした。
【産業上の利用可能性】
【００２６】  土壌からトレーまで、産業廃棄物の再利用品で有り、産業廃棄物の廃棄場所等の問題を少しでも緩和出来ます。【００２７】  この様な産業廃棄物を焼却炉で燃焼廃棄した場合の、二酸化炭素の排出量を減らすことが出来、地球温暖化防止にも繋がります。【００２８】  この様な産業廃棄物の、プラスチック廃材、発泡スチロール廃材、を焼却炉で低温燃焼廃棄した場合に発生する有害物質の、ダイオキシン発生を少なくする効果も有ります。【００２９】  トレーにて天然芝生の育成が可能と成り、１日にて大きな面積を緑色の天然芝生に変更出来ることも可能となり、大きな利点の１つで有ります。【００３０】  ビルの屋上緑化には、品番２２トレー、品番２５トレー接続部品、共に発泡スチロール廃材と、土壌配合表１の発泡スチロール土壌を使用することにより、天然芝生からの、ビル屋上に掛かるに大きな荷重負担を極端に軽減することが出来ます、これも大きな利点の１つで有ります。【００３１】  学校等の校庭には・配合表３・４・５・の土壌と、品番２３・２４・トレーと、品番２７・２８・トレー接続部品、を使用することにて、自然に天然芝生を残して、後は経過時間と共に土に戻るという、非常に安全な構造をも持合わせております。【００３２】  前述の様な、広い範囲の緑化が短期間で出来るために、二酸化炭素の吸収にも僅かながらの貢献が出来ます。【００３３】  下地がコンクリートの公園等の場合には、品番２２・トレーを使用し、品番２６トレー接続部品を使用し、土壌には配合表３・４・５・の時間の経過と共に土に戻る、配合土壌を選択することにて安全な公園の緑化が、非常に短時間の内に、安全な天然芝生の公園への変更が可能と成りました。【００３４】  前述のように、各々の場所に適した、トレーの材質、トレー接続部品の材質、土壌の配合、と選択肢を多く持てるのも大きな利点の１つで有ります。【００３５】  後日移動が必要な場合には、品番２１・２２・トレーを使用し、品番２５・２６・トレー接続部品を使用することにて、何処へにも撤去、移動が可能な構造を有していることも、大きな利点の１つで有ります。【００３６】  産業廃棄物を扱うときには、有害物質の混入が１番やっかいな問題となりますが、天然芝生土壌に有害物質が混入した場合には、天然芝生は全く育たず枯れるだけです、・トレー組込み形天然芝生・の出荷が出来なくなり、安全性が保たれることも、大きな利点の１つで有ります。【００３７】  産業廃棄物を排出する工場が、トレー組込み形天然芝生、を育成した場合、現状にては費用を掛けて廃棄していた物が、製品と成る上に企業イメージの向上にも繋がる・トレー組込み形天然芝生・育成工場にも成ります。
【符号の説明】
【００３８】１１Ａ  高麗芝生のマット
１２Ａ  ケンタッキーグラスのマット
１３Ａ  バミューダグラスのマット
１１Ｂ  高麗芝生の葉
１２Ｂ  ケンタッキーグラスの葉
１３Ｂ  バミューダグラスの葉
１１Ｃ  高麗芝生のマット内の根
１２Ｃ  ケンタッキーグラスのマット内の根
１３Ｃ  バミューダグラスのマット内の根
１１Ｄ  高麗芝生から生えた根
１２Ｄ  ケンタッキーグラスから生えた根
１３Ｄ  バミューダグラスから生えた根
２１    トレー（プラスチック廃材からの再加工品）
２２    トレー（発泡スチロール廃材からの再加工品）
２３    トレー（紙屑廃材からの再加工品）
２４    トレー（木材屑廃材からの再加工品）
２５    トレー接続部品（プラスチック廃材からの再加工品）
２６    トレー接続部品（発泡スチロール廃材からの再加工品）
２７    トレー接続部品（紙屑廃材からの再加工品）
２８    トレー接続部品（木材屑廃材からの再加工品）
２９    水抜き孔
３０    通気孔
３１Ａ  上側土壌（発泡スチロール）
３２Ａ  上側土壌（コンクリート）
３３Ａ  上側土壌（紙屑）
３４Ａ  上側土壌（木材屑）
３５Ａ  上側土壌（米籾柄）
３１Ｂ  下側土壌（発泡スチロール）
３２Ｂ  下側土壌（コンクリート）
３３Ｂ  下側土壌（紙屑）
３４Ｂ  下側土壌（木材屑）
３５Ｂ  下側土壌（米籾柄）
４１    トレーの接続接線
４２    トレーとトレー接続部品との接線
【図１】
0003155180.tif 000003
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
天然芝生マットを定められた大きさのトレーに入れて保管育成する、そのトレーはトレー接続部品にて連続して隙間無しの状態を保持して、連続して接続出来ることを特徴とした、トレー組込み形天然芝生マット。
【請求項２】
天然芝生マットを入れるトレーは、後日移動の可能性が有る物は、プラスチック系統のトレーとし、移動の可能性の無い物は、年月を重ねることにより土に戻る、紙屑系統・木材屑系統のトレーとすることを特徴とした、請求項１に記載の、トレー組込み形天然芝生マット。
【請求項３】
天然芝生マットを入れるトレーの土壌は産業廃棄物を主体・発泡スチロール・コンクリート・新聞紙等の紙屑・コルク等の木材屑・米籾柄・で各々の土壌におけるその比率は７５％を占めている、産業廃棄物の有効利用を特徴とした、請求項１、または請求項２、に記載の、トレー組込み形天然芝生マット。
【請求項４】
天然芝生マットを入れるトレーの土壌の産業廃棄物は、下側土壌には、大粒の産業廃棄物が主体で有り、上側は砂状の産業廃棄物が主体と成していることを特徴とした、請求項１、請求項２、または請求項３、に記載の、トレー組込み形天然芝生マット。